(57)【要約】【課題】ＲＦ変調信号の広帯域化を図り、出力電圧をより高速に変化させる場合でも、電力効率の低下を抑え、かつ、ＲＦ増幅器の飽和を回避するＲＦ増幅装置を提供する。【解決手段】第１ＲＦ増幅部１０３及び第２ＲＦ増幅部１０４は、ＲＦ変調信号を所望の電力まで増幅する。ＥＴ動作電圧信号生成部１０８は、ＲＦ変調信号の包絡線振幅情報と、第２ＲＦ増幅部１０４の電源電圧−出力特性とに基づいて、ＥＴ動作電圧信号を生成する。ＤＣ電源部１１０は、複数の異なるＤＣ電圧を出力し、ＤＣ電圧選択切替部１１１は、ＥＴ動作電圧信号に基づいて、ＤＣ電源部１１０から出力された複数のＤＣ電圧のうち一つを第２ＲＦ増幅部１０４に選択出力する。補助電源部１１４は、ＤＣ電圧選択切替部１１１の出力電圧がＥＴ動作電圧信号生成部１０８から出力されたＥＴ動作電圧以下となる瞬間にＥＴ動作電圧を第２ＲＦ増幅部１０４に出力する。【選択図】図３
2010258896.tif 000002
【特許請求の範囲】
【請求項１】
複数の異なるＤＣ電圧を出力するＤＣ電源手段と、
入力信号である無線周波数変調信号を増幅する増幅手段と、
前記無線周波数変調信号の包絡線振幅情報と、前記増幅手段の電源電圧及び出力特性とに基づいて、エンベロープトラッキング動作電圧信号を生成するＥＴ動作電圧信号生成手段と、
前記エンベロープトラッキング動作電圧信号に基づいて、前記ＤＣ電源手段から出力された複数のＤＣ電圧のうち一つを前記増幅手段に選択出力する選択切替手段と、
選択出力された前記ＤＣ電圧がエンベロープトラッキング動作電圧より低下した場合、エンベロープトラッキング動作電圧を前記増幅手段に出力する補助電源手段と、
を具備するＲＦ増幅装置。
【請求項２】
前記補助電源手段は、ソースフォロアを用いる請求項１に記載のＲＦ増幅装置。
【請求項３】
前記補助電源手段は、エミッタフォロアを用いる請求項１に記載のＲＦ増幅装置。
【請求項４】
前記エンベロープトラッキング動作電圧信号に基づいて、前記ＤＣ電源手段から出力された複数のＤＣ電圧のうち一つを前記補助電源手段に選択出力する第２の選択切替手段を具備する請求項１に記載のＲＦ増幅装置。
【発明の詳細な説明】
【技術分野】
【０００１】
本発明は、エンベロープトラッキング（以下、「ＥＴ」という）方式を用いたＲＦ増幅装置に関する。
【背景技術】
【０００２】
近年、効率の高い無線周波数（以下、「ＲＦ」という）増幅器として、ＥＴ方式のＲＦ増幅装置が検討されている。ＥＴ方式は、包絡線（以下、「エンベロープ」という）信号を電源電圧としてＲＦ増幅器に印加する方式である。
【０００３】
このように、ＥＴ方式では、ＲＦ増幅器の電力効率を改善するため、ＲＦ増幅器が飽和しない範囲においてＲＦ変調信号（入力信号）の瞬時電力に応じて、ＲＦ増幅器に供給する電源電圧値を制御する。つまり、ＲＦ増幅器に電源電圧を供給する電源部は、出力電圧をＲＦ変調信号の振幅変調に応じて変動させることになり、このような電源部を変調電源部と呼んでいる。
【０００４】
ＥＴ方式では、ＲＦ変調信号入力信号に対してＲＦ増幅器が飽和に近い領域で動作するため、瞬時ＲＦ出力電力が小さいときでも、無駄な消費電力を削減することができ、電力効率を向上させることができる。
【０００５】
このような変調電源部として、例えば、特許文献１及び特許文献２に開示の技術がある。特許文献１には、図１に示すようなＲＦ増幅装置１０が開示されている。図１に示す変調電源部は、ＲＦ増幅器１１に複数の異なる電源電圧を供給する固定電圧源１２−１〜１２−ｎを備え、コンパレータ１３に設けられた閾値とＲＦ変調信号の振幅成分との比較結果に応じた制御信号を生成し、生成した制御信号によって電源切替スイッチ１４を制御して固定電圧源１２−１〜１２−ｎを切り替える。すなわち、固定電圧源１２−１〜１２−ｎは、ＲＦ変調信号の包絡線振幅に応じて選択制御される。なお、ＲＦ増幅器１１に供給される電源電圧値は電源切替スイッチ１４により階段状に変化しているが、この変化を緩やかにするためにコンデンサ１５が設けられている。
【０００６】
これにより、図１に示す変調電源部は、瞬時最大ＲＦ出力電力を出力する場合にＲＦ増幅器が飽和しないような高い電源電圧が、常にＲＦ増幅器に供給されている通常のＲＦ増幅器と比較して、ＲＦ増幅器が飽和しない範囲において、常に最小出力電圧の固定電圧源が選択されているため、ＲＦ増幅器の電力効率は大幅に改善されている。図１に示す変調電源部は、ＤＣ電圧を高い電力効率で出力できるスイッチング電源と比較して、電源出力における高速かつ大幅な電圧変化を低損失で実現することができる。よって、特許文献１に開示の変調電源部は、広帯域なＲＦ変調信号に対して、ＥＴ方式を用いたＲＦ増幅装置の電源部として適している。
【０００７】
一方、特許文献２には、図２に示すようなＲＦ増幅装置２０が開示されている。図２に示す変調電源部は、ＲＦ増幅器２１に複数の異なる電源電圧を供給する固定電圧源群Ｖ１〜Ｖ４を備え、供給電圧選択部２２が、ＲＦ信号の包絡線振幅情報に応じて電源電圧を選択する。
【０００８】
供給電圧選択部２２の出力電圧は、供給電圧調整部２３においてＲＦ増幅器２１をＥＴ動作させるに適した電圧に調整される。具体的には、ＲＦ変調信号の包絡線振幅情報と、ＲＦ増幅器２１の電源電圧−出力電圧特性から導き出された、ＲＦ増幅器２１が飽和動作する電源電圧よりもわずかに高い電圧であるＥＴ動作電圧に調整される。供給電圧調整部２３は、階段状に変化している供給電圧選択部２２の出力電圧の変化を緩やかにするアイドラー２４、第１のフィードバック回路２５及び第２のフィードバック回路２９を備えている。
【０００９】
第１フィードバック回路２５は、交流増幅器２６、減算器２７及び加算器２８により構成され、第２のフィードバック回路２９は、高周波増幅器３０、減算器３１及び加算器３２により構成される。なお、フィードバック回路を広帯域化することにより、第１のフィードバック回路２５と第２のフィードバック回路２９を一つにまとめることも可能である。
【００１０】
包絡線振幅情報は、供給電圧選択部２２の制御に用いられると共に、ＤＡＣ部３３においてＥＴ動作電圧に加工される。減算器２７及び減算器３１において、供給電圧選択部２２から出力された電圧と、ＤＡＣ部３３で生成したＥＴ動作電圧との遅延誤差が小さくなるように、遅延素子３４が挿入されている。第１のフィードバック回路２５では、ＥＴ動作電圧と階段状に変化している供給電圧選択部２２の出力電圧との電圧誤差を補正し、第２のフィードバック回路２９では、供給電圧選択部２２の電圧切替動作により生じるリンギング電圧といった、高い周波数を含んだ電圧誤差を補正する。
【００１１】
図２に示した変調電源部では、ＲＦ増幅器２１に供給される電源電圧が、ＲＦ増幅器２１が飽和する電圧よりも常にわずかに高いＥＴ動作電圧に調整されているため、ＲＦ増幅装置２０をＥＴ動作させた場合に、ＲＦ増幅器２１の電力効率を改善することができる。また、フィードバック回路を設けてＲＦ増幅器２１に供給する電源電圧をＥＴ動作電圧に近づけているため、広帯域なＲＦ変調信号の増幅に対してもＥＴ方式が採用できる。
【先行技術文献】
【特許文献】
【００１２】
【特許文献１】特開２００６−２５４３４５号公報
【特許文献２】特表２００６−５１４４７２号公報
【発明の概要】
【発明が解決しようとする課題】
【００１３】
しかしながら、上述した特許文献１に開示の変調電源部では、ＲＦ変調信号の広帯域化がさらに進んで、変調電源部の出力電圧をより高速に変化させる場合に、電源切替スイッチ１４における電圧切替動作に伴って、電源切替スイッチ１４からの出力電圧に生じるリンギングをコンデンサ１５において抑圧できなくなり、瞬間的に電源切替スイッチ１４の出力電圧が低下してＲＦ増幅器１１が飽和すると、ＲＦ増幅器１１で発生する歪が増加してしまう。
【００１４】
このため、リンギングによる瞬間的な電源切替スイッチ１４における出力電圧の低下を見越して、コンパレータ１３の閾値電圧を高くして、低いＲＦ変調信号の包絡線振幅で高い固定電圧源に切り替わるように制御した場合、大部分の時間ではより高い電源電圧がＲＦ増幅器１１に供給されるため、ＲＦ増幅器１１の電力効率が低下してしまう。同様に、ＲＦ変調信号の広帯域化がさらに進むと、ＲＦ変調信号経路の入出力間の遅延時間と、電源電圧信号経路の入出力間の遅延時間とのわずかな遅延誤差のためにＲＦ増幅器１１が飽和する瞬間が発生し、ＲＦ増幅器１１で発生する歪が増加してしまう。これを防ぐために、さらにコンパレータ１３の閾値電圧を高くすると、ＲＦ増幅器１１の電力効率がさらに低下してしまう。
【００１５】
また、上述した特許文献２に開示の変調電源部では、ＲＦ変調信号の広帯域化が進み、変調電源部の出力電圧をより高速に変化させる場合に、変調電源部の出力電力に占めるフィードバック回路２５、フィードバック回路２９の出力電力が増加する。フィードバック回路は、変調電源部の出力電圧の高速な変化に対応できる反面、電力効率が悪いため、変調電源部の電力効率が低下してしまう。同時に、高速な電圧変化に追従する加算器２８、加算器３２の損失も大きくなるため、ＲＦ増幅装置２０の電力効率が低下してしまう。
【００１６】
本発明はかかる点に鑑みてなされたものであり、ＲＦ変調信号の広帯域化を図り、変調電源部の出力電圧をより高速に変化させる場合でも、電力効率の低下を抑え、かつ、ＲＦ増幅器の飽和を回避するＲＦ増幅装置を提供することを目的とする。
【課題を解決するための手段】
【００１７】
本発明のＲＦ増幅装置は、複数の異なるＤＣ電圧を出力するＤＣ電源手段と、入力信号である無線周波数変調信号を増幅する増幅手段と、前記無線周波数変調信号の包絡線振幅情報と、前記増幅手段の電源電圧及び出力特性とに基づいて、エンベロープトラッキング動作電圧信号を生成するＥＴ動作電圧信号生成手段と、前記エンベロープトラッキング動作電圧信号に基づいて、前記ＤＣ電源手段から出力された複数のＤＣ電圧のうち一つを前記増幅手段に選択出力する選択切替手段と、選択出力された前記ＤＣ電圧がエンベロープトラッキング動作電圧より低下した場合、エンベロープトラッキング動作電圧を前記増幅手段に出力する補助電源手段と、を具備する構成を採る。
【発明の効果】
【００１８】
本発明によれば、ＲＦ変調信号の広帯域化を図り、変調電源部の出力電圧をより高速に変化させる場合でも、電力効率の低下を抑え、かつ、ＲＦ増幅器の飽和を回避することができる。
【図面の簡単な説明】
【００１９】
【図１】特許文献１に開示の変調電源部を含むＲＦ増幅装置のブロック図
【図２】特許文献２に開示の変調電源部を含むＲＦ増幅装置のブロック図
【図３】本発明の実施の形態１に係る変調電源部を含むＲＦ増幅装置のブロック図
【図４】図３に示したＲＦ増幅装置におけるＥＴ動作電圧と変調電源部出力とを示す電圧波形
【図５】本発明の実施の形態１に係る変調電源部の構成を示すブロック図
【図６】本発明の実施の形態２に係る変調電源部の構成を示すブロック図
【図７】本発明の実施の形態３に係る変調電源部の構成を示すブロック図
【図８】本発明の実施の形態４に係る変調電源部の構成を示すブロック図
【発明を実施するための形態】
【００２０】
以下、本発明の実施の形態について、図面を参照して詳細に説明する。ただし、実施の形態において、同一機能を有する構成には、同一符号を付し、重複する説明は省略する。
【００２１】
（実施の形態１）
図３は、本発明の実施の形態１に係る変調電源部を含むＲＦ増幅装置１００の構成を示すブロック図である。図３において、入力端子１０１に入力されたＲＦ変調信号は、第１ＲＦ増幅部１０３及び第２ＲＦ増幅部１０４によって所望の電力まで増幅されて、出力端子１０５から出力される。
【００２２】
遅延部１０２は、第２ＲＦ増幅部１０４において、第１ＲＦ増幅部１０３を経由するＲＦ変調信号経路の入出力間の遅延時間と、後述する変調電源部１０９を経由する電源電圧信号経路の入出力間の遅延時間との遅延誤差を低減する。
【００２３】
ＲＦ増幅装置１００に入力されたＲＦ変調信号の一部は、カプラ１０６で分岐され、包絡線検波部１０７において、分岐されたＲＦ変調信号から包絡線振幅情報が検出され、検出された包絡線振幅情報をＥＴ動作電圧信号生成部１０８に出力する。
【００２４】
ＥＴ動作電圧信号生成部１０８は、包絡線検波部１０７から出力された包絡線振幅情報と、第２ＲＦ増幅部１０４の電源電圧−出力特性とに基づいて、ＥＴ動作電圧信号を生成し、生成したＥＴ動作電圧を選択制御部１１２、補助電源制御部１１６及び変調電圧源１１５に出力する。
【００２５】
変調電源部１０９は、ＥＴ動作する第２ＲＦ増幅部１０４に印加する電源電圧を出力する。なお、第２ＲＦ増幅部１０４の電力利得が十分大きい場合、第１ＲＦ増幅部１０３は設けなくてよい。
【００２６】
ＤＣ電源部１１０は、Ｖ１〜Ｖ４のように値の異なる複数のＤＣ電圧を出力する。ＤＣ電源部１１０は、例えば、ＲＦ増幅装置１００の出力電力のパワーコントロールに応じて、出力電圧を変化させてもよい。
【００２７】
ＤＣ電圧選択切替部１１１は、選択制御部１１２と選択スイッチ部１１３とを備えている。選択制御部１１２は、ＥＴ動作電圧信号生成部１０８から出力されたＥＴ動作電圧信号に基づいて、ＤＣ電圧選択切替部１１１に入力された複数のＤＣ電圧からどのＤＣ電圧を選択出力するかを制御し、選択スイッチ部１１３は、選択制御部１１２の制御に従ってＤＣ電圧選択切替部１１１の出力電圧を切り替える。
【００２８】
選択制御部１１２の構成としては、ＥＴ動作電圧信号と、値の異なる複数の基準電圧とを比較する複数のコンパレータを用いて、ＤＣ電圧選択切替部１１１の出力電圧を決定する構成が考えられる。また、選択制御部１１２の機能をデジタル信号処理で行い、選択スイッチ部１１３に対して、直接制御信号を入力する構成としてもよい。また、選択制御部１１２でＥＴ動作電圧信号と基準電圧とを比較する場合、ＤＣ電圧切替動作に応じて、適当なヒステリシスを持たせることが望ましい。
【００２９】
また、ＲＦ増幅装置１００のパワーコントロール、ＲＦ変調信号、補助電源部１１４の動作状況などに応じて、選択制御部１１２においてＥＴ動作電圧信号との比較に用いる基準電圧を制御する構成としてもよい。
【００３０】
選択スイッチ部１１３は、ダイオードと、例えば、ＦＥＴ（Field Effect Transistor）を用いたＯＮ／ＯＦＦスイッチを複数組み合わせ、ＤＣ電圧選択切替部１１１の出力電圧Ｖｎよりも低いＤＣ入力電圧Ｖｍ（ｎ＞ｍ）に接続したＯＮ／ＯＦＦスイッチはＯＦＦしないという構成にしてもよい。このような構成により、選択制御部１１２の回路構成を簡素化することができる。
【００３１】
補助電源部１１４は、変調電圧源１１５、補助電源制御部１１６及びスイッチ部１１７を備えている。変調電圧源１１５は、適当な電圧利得と、高い入力インピーダンスと、低い出力インピーダンスとを備えた広帯域線形アンプまたは広帯域バッファであり、ＥＴ動作電圧信号生成部１０８から出力されたＥＴ動作電圧をスイッチ部１１７に出力する。
【００３２】
補助電源制御部１１６は、ＤＣ電圧選択切替部１１１の出力電圧がＥＴ動作電圧信号生成部１０８から出力されたＥＴ動作電圧以下となる瞬間にスイッチ部１１７を接続するように制御する。
【００３３】
なお、図３に示したように、ＲＦ増幅装置１００に入力されたＲＦ変調信号を検波して包絡線振幅情報を生成する形態ではなく、ＲＦ変調信号を生成する変調手段において、変調データに基づいた演算により包絡線振幅情報を生成して、この包絡線振幅情報をＥＴ動作電圧情報生成部１０８に入力する形態としてもよい。
【００３４】
また、ＲＦ変調信号の包絡線振幅が小さい場合に、ＥＴ動作電圧信号生成部１０８において、出力信号に下限リミットを設定し、ＥＴ動作電圧に下限リミットを持たせる形態としてもよい。
【００３５】
図４は、図３に示したＲＦ増幅装置１００におけるＥＴ動作電圧と変調電源部出力とを示す電圧波形である。図４において、包絡線波形がＥＴ動作電圧を示し、矩形波が変調電源部出力を示す。図４（ａ）は、ＥＴ動作電圧がＶ１〜Ｖ３と等しくなるときＤＣ電圧選択切替部１１１の出力電圧を１段高い電圧に切り替えるように、選択制御部１１２における切替閾値を設定した場合の電圧波形を示す。図４（ａ）の点線の枠“Ａ”で囲んだポイントにおいて、電圧切替動作に伴ってリンギングが発生したり、第１ＲＦ増幅器１０３を経由するＲＦ変調信号経路の入出力間の遅延時間と、変調電源部１０９を経由する電源電圧信号経路の入出力間の遅延時間との遅延誤差が大きくなったりした場合でも、補助電源部１１４を設けたことにより、ＥＴ動作電圧以下となる瞬間に補助電源部１１４が動作するため、変調電源部１０９の出力電圧がＥＴ動作電圧よりも低くなることを防ぐことができる。
【００３６】
また、図４（ｂ）は、図４（ａ）に比べて選択制御部１１２における切替閾値を低くして、より低いＥＴ動作電圧においてＤＣ電圧選択切替部１１１の出力電圧が１段高い電圧に切り替わるようにＤＣ電圧選択切替部１１１を制御した場合の電圧波形を示す。この場合においても、変調電源部１１４の出力電圧がＥＴ動作電圧よりも低くなることを防ぐことができる。
【００３７】
このように実施の形態１によれば、ＥＴ動作電圧以下となる瞬間にＥＴ動作電圧を出力する補助電源部１１４により、瞬間的に第２ＲＦ増幅部１０４に供給される電源電圧が低下することを防ぎ、この結果、第２ＲＦ増幅部１０４の飽和を防ぐことができる。また、ＥＴ動作電圧以上の場合は電力効率の低い変調電圧源１１５の出力を遮断するため、補助電源部１１４の平均消費電力を低く保つことができ、ＲＦ変調信号の広帯域化に伴うＲＦ増幅装置１００の電力効率の低下を抑えることができる。
【００３８】
なお、変調電源部１０９の構成は、図３に示した構成に限らず、図５に示す構成であってもよい。図５において、ＬＰＦ部１２０は、選択スイッチ部１１３におけるＤＣ電圧切替動作により発生するリンギングを低減する。遅延部１２１は、ＥＴ動作電圧信号生成部１０８及びＬＰＦ部１２０間の遅延時間と、ＥＴ動作電圧信号生成部１０８及び補助電源部１１４間の遅延時間との遅延誤差を低減する。ＤＣ電圧切替動作に伴うリンギングを低減することにより、補助電源部１１４の動作負荷を軽減することができる。
【００３９】
（実施の形態２）
図６は、本発明の実施の形態２に係る変調電源部の構成を示すブロック図である。図６において、ｎ型ＦＥＴ１３１はソースフォロア構成とし、加算器１３２を用いてＥＴ動作電圧に対してｎ型ＦＥＴ１３１のＶＧＳに等しい電圧を加算し、ｎ型ＦＥＴ１３１のゲート端子に入力する。ｎ型ＦＥＴ１３１のドレイン電圧は、ＤＣ電源部１１０の出力電圧Ｖ４から分岐して供給される。ただし、ｎ型ＦＥＴ１３１のドレイン電圧は、適当な電源部を別途準備して供給されるようにしてもよい。
【００４０】
ＬＰＦ部１２０の出力電圧がＥＴ動作電圧よりも高い場合、補助電源部１１４は、ｎ型ＦＥＴ１３１をＯＦＦしており、ｎ型ＦＥＴ１３１において電力を消費しない。また、補助電源部１１４は、ＬＰＦ部１２０の出力電圧がＥＴ動作電圧以下となる瞬間に、ｎ型ＦＥＴ１３１からＥＴ動作電圧を出力する。
【００４１】
このように実施の形態２によれば、変調電圧源としてソースフォロアを用いることにより、補助電源部を簡単な構成で実現することができる。
【００４２】
なお、補助電源部１１４は、電圧利得１の広帯域バッファアンプの構成としたが、遅延部１２１の前段または後段に広帯域線形アンプを挿入して、補助電源部１１４に適当な電圧利得を持たせてもよい。
【００４３】
（実施の形態３）
図７は、本発明の実施の形態３に係る変調電源部の構成を示すブロック図である。図７において、ＮＰＮトランジスタ１４１はエミッタフォロア構成とし、加算器１３２を用いてＥＴ動作電圧に対してＮＰＮトランジスタ１４１のＶbeに等しい電圧を加算し、ＮＰＮトランジスタ１４１のベース端子に入力する。ＮＰＮトランジスタ１４１のコレクタ電圧は、マルチ出力ＤＣ電源部１１０の出力電圧Ｖ４から分岐して供給される。ただし、ＮＰＮトランジスタ１４１のコレクタ電圧は、適当な電源部を別途準備して供給されるようにしてもよい。
【００４４】
ＬＰＦ部１２０の出力電圧がＥＴ動作電圧よりも高い場合、補助電源部１１４は、ＮＰＮトランジスタ１４１をＯＦＦしており、ＮＰＮトランジスタ１４１において電力を消費しない。また、補助電源部１１４は、ＬＰＦ部１２０の出力電圧がＥＴ動作電圧以下となる瞬間に、ＮＰＮトランジスタ１４１からＥＴ動作電圧を出力する。
【００４５】
このように実施の形態３によれば、変調電圧源としてエミッタフォロアを用いることにより、補助電源部を簡単な構成で実現することができる。
【００４６】
なお、補助電源部１１４は、電圧利得１の広帯域バッファアンプの構成としたが、遅延部１２１の前段または後段に広帯域線形アンプを挿入して、補助電源部１１４に適当な電圧利得を持たせてもよい。
【００４７】
（実施の形態４）
図８は、本発明の実施の形態４に係る変調電源部の構成を示すブロック図である。図８において、ｎ型ＦＥＴ１３１を用いた補助電源部１１４に供給する電源電圧は、第２のＤＣ電圧選択切替部１５１から供給する。ＤＣ電圧選択切替部１５１は、選択制御部１５２と選択スイッチ部１５３とを備えている。
【００４８】
選択制御部１５２は、遅延部１５４から出力されたＥＴ動作電圧信号に基づいて、ＤＣ電圧選択切替部１５１に入力された複数のＤＣ電圧からどのＤＣ電圧を選択出力するかを制御し、選択スイッチ部１５３は、選択制御部１５２の制御に従ってＤＣ電圧選択切替部１５１の出力電圧を切り替える。
【００４９】
なお、選択制御部１５２における切替制御に用いる切替閾値は、選択制御部１１２における切替制御に用いる切替閾値と同じ値を使用してもよい。また、選択制御部１５２の機能をデジタル信号処理で行い、選択スイッチ部１５３に対して、直接制御信号を入力する構成としてもよい。
【００５０】
遅延部１５４はＥＴ動作電圧信号生成部１０８及びＬＰＦ部１５５間の遅延時間と、ＥＴ動作電圧信号生成部１０８及び補助電源部１１４間の遅延時間との遅延誤差を低減する。
【００５１】
ＬＰＦ部１５５は、選択スイッチ部１５３におけるＤＣ電圧切替動作により発生するリンギングを低減する。
【００５２】
このように実施の形態４によれば、補助電源部１１４に供給する電源電圧をＥＴ動作電圧に応じて制御することにより、補助電源部１１４における電圧降下を低減し、補助電源部１１４の消費電力を削減することにより、変調電源部１０９の電力効率を改善することができる。
【００５３】
なお、本実施の形態では、第２のＤＣ電圧選択切替部１５１に供給するＤＣ電圧をＤＣ電圧部１１０から供給する構成としたが、本発明はこれに限らず、第２のＤＣ電圧部を備え、この第２のＤＣ電圧部から供給する構成としてもよい。
【００５４】
また、選択制御部１５２における切替制御に用いる切替閾値は、選択制御部１１２における切替制御に用いる切替閾値よりも大きい値を使用してもよい。
【産業上の利用可能性】
【００５５】
本発明にかかる変調電源部を用いたＲＦ増幅装置は、例えば、無線通信装置、デジタルテレビ送信機などに適用できる。
【符号の説明】
【００５６】
１０２、１２１、１５４  遅延部
１０３  第１ＲＦ増幅器
１０４  第２ＲＦ増幅器
１０７  包絡線検波部
１０８  ＥＴ動作電圧信号生成部
１０９  変調電源部
１１０  ＤＣ電源部
１１１、１５１  ＤＣ電圧選択切替部
１１２、１５２  選択制御部
１１３、１５３  選択スイッチ部
１１４  補助電源部
１１５  変調電圧源
１１６  補助電源制御部
１１７  スイッチ部
１２０、１５５  ＬＰＦ部
１３１  ｎ型ＦＥＴ
１３２  加算器
１４１  ＮＰＮトランジスタ
【図１】
2010258896.tif 000003
【図２】
2010258896.tif 000004
【図３】
2010258896.tif 000005
【図４】
2010258896.tif 000006
【図５】
2010258896.tif 000007
【図６】
2010258896.tif 000008
【図７】
2010258896.tif 000009
【図８】
2010258896.tif 000010